(57)【要約】【課題】天井部への被処理物の付着を防止できる表面溶融炉を提供する。【解決手段】天井部１及びその天井部１に立設した内壁２からなる内側炉壁部３と、内壁２の外方に位置する外壁４およびその外壁４の下端部に連設する底板５とからなる外側炉壁部６とを備え、天井部１の下方に燃焼室７が形成されると共に、内壁２と外壁４との間に被処理物１２を燃焼室７に供給する供給路８を形成し、供給路８の下端が燃焼室７に連通し、燃焼室７内の燃焼排ガスと溶融スラグとの排出口９を底板５に形成し、バーナー１１を天井部１に設けてあって、燃焼排ガスの一部を燃焼室７の外方に引き抜く排ガス引抜部１０を、平面視でバーナー１１よりも排出口側で天井部１に設けてある。【選択図】図１
2010032134.tif 000002
【特許請求の範囲】
【請求項１】
天井部及びその天井部の周囲に立設した内壁からなる内側炉壁部と、前記内壁の外方に位置する外壁およびその外壁の下端部に連設する底板とからなる外側炉壁部とを備え、前記天井部の下方に燃焼室が形成されると共に、前記内壁と前記外壁との間に被処理物を前記燃焼室に供給する供給路を形成し、前記供給路の下端が前記燃焼室に連通し、前記燃焼室内の燃焼排ガスと溶融スラグとの排出口を前記底板に形成し、バーナーを前記天井部に設けてある表面溶融炉であって、
燃焼排ガスの一部を前記燃焼室の外方に引き抜く排ガス引抜部を、平面視で前記バーナーよりも前記排出口側で前記天井部に設けてある表面溶融炉。
【請求項２】
前記バーナーの火炎噴出し方向を、被処理物の溶融面に沿う斜め下方に向けてある請求項１記載の表面溶融炉。
【請求項３】
前記バーナーに過剰の空気を供給する給気手段を設けてある請求項１又は２記載の表面溶融炉。
【請求項４】
前記バーナーと前記内壁との間に、酸素富化ガス供給ノズルを設けてある請求項１〜３のいずれかに記載の表面溶融炉。
【発明の詳細な説明】
【技術分野】
【０００１】
本発明は、天井部及びその天井部の周囲に立設した内壁からなる内側炉壁部と、前記内壁の外方に位置する外壁およびその外壁の下端部に連設する底板とからなる外側炉壁部とを備え、前記天井部の下方に燃焼室が形成されると共に、前記内壁と前記外壁との間に被処理物を前記燃焼室に供給する供給路を形成し、前記供給路の下端が前記燃焼室に連通し、前記燃焼室内の燃焼排ガスと溶融スラグとの排出口を前記底板に形成し、バーナーを前記天井部に設けてある表面溶融炉に関する。
【背景技術】
【０００２】
従来、前記表面溶融炉は、天井部を無機耐火物などで形成し高温に耐え得る構造としていた。また、天井部の上部面にジャケットを設け、冷却水などを流通させて耐火物を冷却することで天井部を保護していた（例えば、特許文献１参照）。
【０００３】
【特許文献１】特開平２−２９８７０９号公報
【発明の開示】
【発明が解決しようとする課題】
【０００４】
しかし、上述した従来の表面溶融炉であっても、燃焼室で飛散する灰などの被処理物が天井部に付着することで耐火物を劣化させる現象を防止するのは、技術的に困難であった。
【０００５】
たとえば、図２の従来の表面溶融炉で示すように、バーナーを鉛直方向に設置すると、バーナーから供給される燃焼空気によって、燃焼室中央部から上方に流動する上昇流と燃焼室外周部から上方に流動する上昇流が発生する。そこで、被処理物はこの上昇流に乗って飛散し天井部に付着することになる。特に、天井部の内壁付近は天井高さが低いために、被処理物の付着量が多く、天井部中央と比較して耐火物の劣化が顕著であった。
【０００６】
従って、本発明の目的は、上記問題点を解消し被処理物を飛散させる原因となる燃焼室内の排ガス流を制御し、天井部への処理物の付着を防止できる表面溶融炉を提供するところにある。
【課題を解決するための手段】
【０００７】
本発明の第１の特徴構成は、天井部及びその天井部の周囲に立設した内壁からなる内側炉壁部と、前記内壁の外方に位置する外壁およびその外壁の下端部に連設する底板とからなる外側炉壁部とを備え、前記天井部の下方に燃焼室が形成されると共に、前記内壁と前記外壁との間に被処理物を前記燃焼室に供給する供給路を形成し、前記供給路の下端が前記燃焼室に連通し、前記燃焼室内の燃焼排ガスと溶融スラグとの排出口を前記底板に形成し、バーナーを前記天井部に設けてある表面溶融炉であって、
燃焼排ガスの一部を前記燃焼室の外方に引き抜く排ガス引抜部を、平面視で前記バーナーよりも前記排出口側で前記天井部に設けてあるところにある。
【０００８】
本発明の第１の特徴構成によれば、バーナーから噴出する火炎によって被処理物の溶融面から灰などの被処理物が飛散したとしても、バーナーよりも中心側に設けた排ガス引抜部から燃焼排ガスの一部が引き抜かれることによって、排出口へ流れる燃焼排ガス以外の燃焼排ガスに対して、燃焼室の中央から天井部へ上昇して外周部に戻る旋回流を起こさせ、その旋回流に乗った被処理物が天井面に到達する前に溶融面に再び落下するようになる。
また、燃焼室の外周部において、天井部へ流動する上昇流は減少し、天井部への被処理物の付着を防止できるようになった。
従って、表面溶融炉の耐久性の向上を図ることが可能となった。
【０００９】
本発明の第２の特徴構成は、前記バーナーの火炎噴出し方向を、被処理物の溶融面に沿う斜め下方に向けてあることにある。
【００１０】
本発明の第２の特徴構成によれば、本発明の第１の特徴構成による上述の作用をより助長することができるのに加えて、バーナーからの火炎は、被処理物の表面に沿うために、被処理物の飛散は減少し、天井部に対する付着をよりいっそう防止することが可能となる。
また、これらの構成によって、被処理物の飛散を抑制することが出来るようになったので、バーナーからの火炎を従来より溶融面に近づけ、効率的に温度を上げることが可能になった。
【００１１】
本発明の第３の特徴構成は、前記バーナーに過剰の空気を供給する給気手段を設けてあることにある。
【００１２】
前記第１及び第２の発明によって、被処理物の飛散を抑制することができるようになったので、従来より多くの空気を、供給することが可能となった。そのために、本発明の第３の特徴構成によれば、灰以外に未燃物が含まれる被処理物であっても、バーナーからの過剰の空気により未燃物は燃焼し、可燃物混合溶融が可能となる。
【００１３】
本発明の第４の特徴構成は、前記バーナーと前記内壁との間に、酸素富化ガス供給ノズルを設けてあることにある。
【００１４】
本発明の第４の特徴構成によれば、被処理物が最も付着しやすい天井部の内壁付近から、燃焼室中央部へ向かう気流が発生するので、被処理物の天井部内壁付近への付着防止効果を高めることが出来る。また、バーナーからの火炎と処理物の溶融面との間に酸素富化ガスが供給されることにより、溶融面近くがより高温で高輝度火炎になり、処理物の溶融処理が促進される。
【発明を実施するための最良の形態】
【００１５】
以下に本発明の実施の形態を図面に基づいて説明する。
【００１６】
本発明の表面溶融炉は、図１に示すように、天井部１及びその天井部１の周囲に立設した内壁２からなる内側炉壁部３と、内壁２に対して同軸芯の状態に内壁２の外方に位置する外壁４およびその外壁４の下端部に連設する底板５とからなる外側炉壁部６とを備えて、夫々耐火物で内外二重構造の炉壁を構成してあり、天井部１の下方に主たる燃焼室７が形成されると共に、内壁２と外壁４との間に被処理物１２を充填状態で自重落下させる供給路８を形成し、供給路８の下端が燃焼室７に連通し、燃焼室７内の燃焼排ガスと溶融スラグとの排出口９を、底板５の中央部に形成し、下方に向けて火炎を噴出する複数のバーナー１１を、天井部１でその周方向に均等に分散配置して構成してある。
【００１７】
尚、溶融炉の平面形状は、円形、楕円形、多角形等があるが、いずれの形状でも適用が可能である。
【００１８】
そして、前記バーナー１１は、被処理物１２の溶融面に近づけて配置すると共に、夫々のバーナー１１からの火炎の噴出する方向を、被処理物１２の溶融面１４に沿う斜め下方に向けて、被処理物１２の飛散を抑制するようにしてある。火炎の軸方向と、溶融面１４との角度差についての制限はないが、角度差が小さいほど被処理物１２の飛散抑制効果は大きくなる。バーナー１１と内壁２との間には、酸素富化ガス供給ノズル１３を設けて、被処理物１２中の未燃物に酸素を供給して、被処理物１２の溶融面を高温に燃焼させると共に、被処理物１２に近い側の火炎を高輝度で高温になるように構成してあるので、被処理物１２の溶融が促進される。
【００１９】
前記天井部１には、燃焼排ガスの一部を燃焼室７の外方に引き抜く排ガス引抜部１０を、バーナー１１よりも中心側に設けて、バーナー１１からの燃焼ガスの流れに、旋回流を発生させるようにして、その旋回流に乗った被処理物１２が天井面に達する前に溶融面１４に落下し、被処理物１２が天井部１に付着しないようにしてある。
【００２０】
尚、排ガス引抜部１０より引き抜いた排ガスは、排出口９から排出される排ガスと合流し、図示しない排ガス処理装置で処理される。
〔別実施形態〕
以下に他の実施の形態を説明する。
【００２１】
〈１〉  前記バーナー１１からは、給気手段によって。過剰空気が供給されるようにして、未燃の被処理物１２の燃焼を促進するようにしてあってもよい。
〈２〉  前記バーナー１１からの火炎の噴出し方向は、斜め下方に限らず、鉛直下方に向くように設定してあっても、本発明の排ガス引き抜き部による効果は期待出来る。
〈３〉  前記バーナー１１は、火炎の噴出し方向を調整できるバーナーとし、バーナー本体は鉛直下方に向くように設置し、火炎の噴き出し方向を斜め下方に設定しても良い。
〈４〉  前記酸素富化ガス供給ノズル１３は、必ずしも設けない場合であっても良い。
〈５〉  排ガス引抜部から引き抜いた排ガスは、天井部１の内壁２付近より、燃焼室７へ循環させても良い。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２２】
【図１】実施形態で説明する表面溶融炉の縦断面図
【図２】従来の表面溶融炉の縦断面図
【符号の説明】
【００２３】
１      天井部
２      内壁
３      内側炉壁部
４      外壁
５      底板
６      外側炉壁部
７      燃焼室
８      供給路
９      排出口
１０    排ガス引抜部
１１    バーナー
１２    被処理物
１３    酸素富化ガス供給ノズル
１４    溶融面
【図１】
2010032134.tif 000003
【図２】
2010032134.tif 000004